(57)【要約】【課題】死後、顎部の筋肉が弛緩し、口が開くのを簡便かつ確実に防止することができる遺体用顎弛緩防止具を提供する。【解決手段】遺体用顎弛緩防止具１は、遺体の少なくとも臼歯を覆う水平な板状部３と、該板状部に対して略垂直に形成され、臼歯の側面に配置される少なくとも一つの壁部５とを有する接合部材２を備え、少なくとも上記板状部の上面及び下面の臼歯と接触する面に粘接着剤層７が形成されており、上記粘接着剤で上下の歯列を接着し、顎の弛緩による開口を防止できるようにされている。好適な態様においては、前記板状部に一つ以上の貫通孔４が形成されている。さらに好適には、前記板状部とそれに対して略垂直に形成された少なくとも一つの壁部とを有する左右一対の接合部材２が、略Ｕ字状に屈曲した弾性の連結部６で一体的に連結されている。前記壁部の臼歯と接触する面にも粘接着剤層を形成することが好ましい。【選択図】図１
2010000146.tif 000002
【特許請求の範囲】
【請求項１】
遺体の少なくとも臼歯を覆う水平な板状部と、該板状部に対して略垂直に形成され、臼歯の側面に配置される少なくとも一つの壁部とを有する接合部材を備え、少なくとも上記板状部の上面及び下面の臼歯と接触する面に粘接着剤層が形成されており、上記粘接着剤で上下の歯列を接着し、顎の弛緩による開口を防止できるようにしたことを特徴とする遺体用顎弛緩防止具。
【請求項２】
前記板状部に一つ以上の貫通孔が形成されていることを特徴とする請求項１に記載の遺体用顎弛緩防止具。
【請求項３】
前記板状部とそれに対して略垂直に形成された少なくとも一つの壁部とを有する左右一対の接合部材が、略Ｕ字状に屈曲した弾性の連結部で一体的に連結されていることを特徴とする請求項１又は２に記載の遺体用顎弛緩防止具。
【請求項４】
前記連結部は、中央部に、実質的に平坦な中央側壁部とそれに向かって内側にやや湾曲した左右側壁部とから形成された凹陥部を有しており、該凹陥部を形成する中央側壁部及び左右側壁部は下方から上方にかけて前方にやや突出したテーパ状に形成されていることを特徴とする請求項３に記載の遺体用顎弛緩防止具。
【請求項５】
前記壁部の臼歯と接触する面にも粘接着剤層が形成されていることを特徴とする請求項１乃至４のいずれか一項に記載の遺体用顎弛緩防止具。
【請求項６】
前記壁部として、前記板状部の内側縁部に略垂直に垂下して形成された内側下方壁部及び／又は板状部の内側縁部に略垂直に上方に立設された内側上方壁部を含むことを特徴とする請求項１乃至５のいずれか一項に記載の遺体用顎弛緩防止具。
【請求項７】
前記壁部として、前記板状部の内側縁部に略垂直に垂下して形成された内側下方壁部と、前記板状部の外側縁部に略垂直に垂下して形成された外側下方壁部とを含み、これらの板状部両側の内側下方壁部と外側下方壁部とで下顎の歯列に跨るように構成されていることを特徴とする請求項１乃至５のいずれか一項に記載の遺体用顎弛緩防止具。
【請求項８】
前記壁部として、前記板状部の内側縁部に略垂直に上方に立設された内側上方壁部をさらに含むことを特徴とする請求項７に記載の遺体用顎弛緩防止具。
【請求項９】
前記壁部は、前記板状部の内側縁部に略垂直に上方に立設された内側上方壁部と下方に垂下して形成された内側下方壁部と、前記板状部の外側縁部に略垂直に上方に立設された外側上方壁部と下方に垂下して形成された外側下方壁部とからなり、これらの板状部両側の内側下方壁部と外側下方壁部とで下顎の歯列に跨るように、且つ、板状部両側の内側上方壁部と外側上方壁部とで上顎の歯列に跨るように構成されていることを特徴とする請求項１乃至５のいずれか一項に記載の遺体用顎弛緩防止具。
【発明の詳細な説明】
【技術分野】
【０００１】
本発明は、遺体の顎筋肉の弛緩による口開を簡単な操作で確実に防止する顎弛緩防止具に関するものである。
【背景技術】
【０００２】
一般に、ヒトの死亡直後、最初に起きる現象は筋肉の弛緩である。顎に関しては、オトガイ舌筋、オトガイ舌骨筋、顎舌骨筋が弛緩し、下顎が落ち込み、その結果、遺体の口が開いた状態となる。ヒトの顎関節の「死後硬直」は、通常、１〜２時間後に発現し、３０〜４０時間後に消失が始まり、また筋肉が弛緩する。然るに、美的観点から、口が開かないように顎を上方に押し上げ、口が閉じたままの状態に維持しなければならない。
【０００３】
通常、この問題を解決するために、包帯を用いたり、頭当て部と、帯状体に対しスライド調整可能な顎パッドを有する帯状体とを備え、帯状体の一方端部を頭当て部の一方側に面ファスナーにより着脱自在に固定する顎弛緩防止具、所謂顎バンド（特許文献１参照）や、顎の下側の頚部の前方部外周に当接し、前記前方部外周を把持するよう構成された略Ｕ字状のアーム部を有する顎支持部と、遺体の胸や鎖骨に当接する下方支持部とを備え、上記顎支持部に弾性フランジを前側に突設して顎を上方に支持するようにした顎支持装置（商品名：チンカラー）（特許文献２参照）を使用することが一般的に行われている。
【０００４】
前記包帯や顎バンドを使用する場合、包帯や顎バンドを遺体の下顎の下部にあてがい、頬の両側に沿って伸ばし、頭の頂上部で互いに結びつけるか、あるいは着脱自在の面ファスナーなどにより留める。しかしながら、これらの処置方法では次のような欠点がある。
−これらの処置は、通常、従業員や看護師等の手によって行われるが、処置の作業が煩雑で、満足な結果を得るには二人の従業員や看護師を必要とする。
−包帯や顎バンドが緩んだり、外れたりする。
−親族は遺体をすこしでも美的に美しくすることを願っているが、この方法では、顎から頬が包帯や顎バンドで包まれ、髪の毛は押さえつけられているために、美的に満足する方法とは言い難い。
【０００５】
また、前記顎支持装置（商品名：チンカラー）は、略Ｕ字状のアーム部を遺体の首部にしっかり固定させ、弾性フランジ部を下顎の下部にあてがい、下顎を弾性フランジで上方に支持するものであるため、首部や下顎の支持部が鬱血し、黒くアザになる。黒くアザになった状態や、略Ｕ字状のアーム部で首部を締め付けた状態を親族が見たとき、美的に満足する方法とは言い難い。
【０００６】
また、他の顎弛緩防止方法として、口中の前側部の中切歯、側切歯、犬歯の上下の歯列又は歯茎とに跨るように、顎弛緩防止具の連結された内側の固定部材と外側の固定部材で挟み、内側の固定部材外面及び外側の固定部材内面に設けられた粘接着性材料層で上下の歯列又は歯茎に接着するか、あるいは連結部材のラチェット機構により固定することが提案されている（特許文献３参照）。
しかしながら、通常、ヒトの上下の歯列又は歯茎は重ならないので、この方法で上下の歯列を固定することは非常に難しい。また、遺体の口前面部の歯列又は歯茎で固定させるので、唇が綺麗に閉じず、遺体の形相が悪くなり、美的観点から問題がある。また、処置が煩雑で、遺体の口内に装着することが難しい。
【０００７】
さらに、前記したような顎弛緩防止器具は人目に付きやすく、遺体の尊厳を損なうため、遺体を納棺する際は、取り除かれるのが通常である。しかしながら、遺体の死後硬直は継続したままではなく、１日〜２日後には再び筋肉の弛緩が起こるため、葬儀当日に、再び開口してしまい、上記のような器具による処置では無駄になることが、多々ある。
【特許文献１】特開平８−７１１１２号公報（特許請求の範囲）
【特許文献２】特許第３７３２０９１号公報（特許請求の範囲）
【特許文献３】特開２００１−２５８９６３号公報（特許請求の範囲）
【発明の開示】
【発明が解決しようとする課題】
【０００８】
本発明は、前記したような従来の遺体用顎弛緩防止具の不都合な点や問題点を解決するものであり、死後、顎部の筋肉が弛緩し、口が開くのを簡便かつ確実に防止することができる遺体用顎弛緩防止具を提供することにある。
【課題を解決するための手段】
【０００９】
前記目的を達成するために、本発明によれば、遺体の少なくとも臼歯を覆う水平な板状部と、該板状部に対して略垂直に形成され、臼歯の側面に配置される少なくとも一つの壁部とを有する接合部材を備え、少なくとも上記板状部の上面及び下面の臼歯と接触する面に粘接着剤層が形成されており、上記粘接着剤で上下の歯列を接着し、顎の弛緩による開口を防止できるようにしたことを特徴とする遺体用顎弛緩防止具が提供される。
尚、本明細書において、「粘接着剤層」とは、粘着剤層及び接着剤層を含む包括的な用語と理解されるべきである。
【００１０】
好適な態様においては、前記板状部に一つ以上の貫通孔が形成されている。さらに好適な態様においては、前記板状部とそれに対して略垂直に形成された少なくとも一つの壁部とを有する左右一対の接合部材が、略Ｕ字状に屈曲した弾性の連結部で一体的に連結されている。別の好適な態様においては、前記壁部の臼歯と接触する面にも粘接着剤層が形成されている。
【００１１】
前記壁部としては、少なくとも前記板状部の内側縁部に略垂直に垂下して形成された内側下方壁部及び／又は板状部の内側縁部に略垂直に上方に立設された内側上方壁部を含むことが好ましい。好適な態様においては、前記板状部の内側縁部に略垂直に垂下して形成された内側下方壁部と、前記板状部の外側縁部に略垂直に垂下して形成された外側下方壁部とを含み、これらの板状部両側の内側下方壁部と外側下方壁部とで下顎の歯列に跨るように構成される。この場合にも、前記壁部として、前記板状部の内側縁部に略垂直に上方に立設された内側上方壁部をさらに含むことができる。
【００１２】
別の態様においては、前記壁部は、前記板状部の内側縁部に略垂直に上方に立設された内側上方壁部と下方に垂下して形成された内側下方壁部と、前記板状部の外側縁部に略垂直に上方に立設された外側上方壁部と下方に垂下して形成された外側下方壁部とからなり、これらの板状部両側の内側下方壁部と外側下方壁部とで下顎の歯列に跨るように、且つ、板状部両側の内側上方壁部と外側上方壁部とで上顎の歯列に跨るように構成されている。
【発明の効果】
【００１３】
本発明の遺体用顎弛緩防止具は、遺体の少なくとも臼歯を覆う水平な板状部と、該板状部に対して略垂直に形成され、臼歯の側面に配置される少なくとも一つの壁部とを有する接合部材を備えた、比較的単純な構成のため、遺体の口中に簡単に挿入でき、顎弛緩防止具の装着作業が容易である。また、少なくとも上記板状部の上面及び下面の臼歯と接触する面に粘接着剤層が形成されており、上記粘接着剤で上下の歯列の比較的頂部表面積が広い上下の臼歯同士を接着・固定するため、顎の弛緩により口が開くのを簡便かつ確実に防止することができる。しかも、遺体の口中に挿入された顎弛緩防止具は、一旦、上下の臼歯同士が接着・固定されると、外から見えないため、遺体の美的観点からも好ましい。
【００１４】
本発明の遺体用顎弛緩防止具の好適な態様においては、前記板状部に一つ以上の貫通孔が形成されているため、上下の臼歯間に介挿されて噛み合わされた時に、板状部の上面に設けられた粘接着剤層と下面に設けられた粘接着剤層が貫通孔を介して一体化される。そのため、上下の臼歯同士を強い接合強度で接着・固定することができ、顎の弛緩により口が開くのをより確実に防止することができる。
【００１５】
さらに、前記板状部とそれに対して略垂直に形成された少なくとも一つの壁部とを有する左右一対の接合部材が、略Ｕ字状に屈曲した弾性の連結部で一体的に連結されている好適な態様においては、連結部と左右一対の接合部材を指で挟み、左右一対の接合部材間の間隔が若干狭くなるように押し曲げることにより、遺体の口中への挿入が容易になると共に、挿入した後、指を離すと、略Ｕ字状に屈曲した連結部の弾性により左右一対の接合部材が広がって元の状態に戻り、接合部材の壁部が臼歯の内側面に当接するので、顎弛緩防止具の遺体の口内への装着作業がより簡便かつ確実なものとなる。この場合、前記壁部として、少なくとも前記板状部の内側縁部に略垂直に垂下して形成された内側下方壁部及び／又は板状部の内側縁部に略垂直に上方に立設された内側上方壁部を含むと、顎弛緩防止具の遺体の口内への装着作業をより簡便かつ安定して行うことができ、また、壁部（内側下方壁部及び／又は内側上方壁部）の臼歯と接触する面にも粘接着剤層が形成されていると、顎弛緩防止具の遺体の臼歯への接着・固定がより確実なものとなる。
【００１６】
前記壁部として、前記板状部の内側縁部に略垂直に垂下して形成された内側下方壁部と、前記板状部の外側縁部に略垂直に垂下して形成された外側下方壁部とを含む好適な態様においては、これらの板状部両側の内側下方壁部と外側下方壁部とで下顎の歯列に跨るように装着できるので、装着された顎弛緩防止具がより安定した状態となる。この場合、内側下方壁部及び／又は外側下方壁部の下顎の歯列の臼歯と接触する面にも粘接着剤層が形成されていると、顎弛緩防止具の遺体の臼歯への接着・固定がより確実なものとなる。また、前記壁部として、前記板状部の内側縁部に略垂直に上方に立設された内側上方壁部をさらに含む好適な態様においては、内側上方壁部が上歯列の臼歯の内側面に当接するので、顎弛緩防止具の遺体の口内への装着作業がより簡便かつ確実なものとなる。この場合、内側上方壁部の上顎の歯列の臼歯と接触する面にも粘接着剤層が形成されていると、顎弛緩防止具の遺体の臼歯への接着・固定がより確実なものとなる。
【００１７】
別の態様においては、前記壁部は、前記板状部の内側縁部に略垂直に上方に立設された内側上方壁部と下方に垂下して形成された内側下方壁部と、前記板状部の外側縁部に略垂直に上方に立設された外側上方壁部と下方に垂下して形成された外側下方壁部とからなり、これらの板状部両側の内側下方壁部と外側下方壁部とで下顎の歯列に跨るように、且つ、板状部両側の内側上方壁部と外側上方壁部とで上顎の歯列に跨るように構成されているため、装着された顎弛緩防止具がより安定した状態となる。この場合にも、内側下方壁部及び／又は外側下方壁部の下顎の歯列の臼歯と接触する面、及び／又は内側上方壁部及び／又は外側上方壁部の上顎の歯列の臼歯と接触する面にも粘接着剤層が形成されていると、顎弛緩防止具の遺体の臼歯への接着・固定がより確実なものとなる。
【発明を実施するための最良の形態】
【００１８】
本発明の遺体用顎弛緩防止具は、比較的単純な構成で遺体の口中に簡単に挿入でき、顎弛緩防止具の装着作業が容易とするため、また、上下の歯列の比較的頂部表面積が広い上下の臼歯同士を接着・固定して顎の弛緩により口が開くのを簡便かつ確実に防止することができ、しかも、遺体の口中に挿入された顎弛緩防止具は、一旦、上下の臼歯同士が接着・固定されると、外から見えないようにするために、遺体の少なくとも臼歯を覆う水平な板状部と、該板状部に対して略垂直に形成され、臼歯の側面に配置される少なくとも一つの壁部とを有する接合部材を備え、少なくとも上記板状部の上面及び下面の臼歯と接触する面に粘接着剤層が形成されていることを特徴としている。
【００１９】
上下の臼歯同士を強い接合強度で接着・固定できるようにするためには、前記板状部に一つ以上の貫通孔を形成し、上下の臼歯間に介挿されて噛み合わされた時に、板状部の上面に設けられた粘接着剤層と下面に設けられた粘接着剤層が貫通孔を介して一体化されるようにする。尚、比較的軟らかい粘接着剤を用いて、口内への装着前に予め貫通孔内が粘接着剤で充填された状態とすることもできる。
【００２０】
さらに、遺体の口中への挿入を容易にするためには、前記板状部とそれに対して略垂直に形成された少なくとも一つの壁部、好ましくは板状部の内側縁部に略垂直に垂下して形成された内側下方壁部及び／又は板状部の内側縁部に略垂直に上方に立設された内側上方壁部とを有する左右一対の接合部材が、略Ｕ字状に屈曲した弾性の連結部で一体的に連結されていることが好ましい。このような構成とすることにより、連結部と左右一対の接合部材を指で挟み、左右一対の接合部材間の間隔が若干狭くなるように押し曲げることにより、遺体の口中への挿入が容易になると共に、挿入した後、指を離すと、略Ｕ字状に屈曲した連結部の弾性により左右一対の接合部材が広がって元の状態に戻り、接合部材の壁部が臼歯の内側面に当接する。
【００２１】
顎弛緩防止具をより安定した状態で装着可能とするためには、前記壁部として、前記板状部の内側縁部に略垂直に上方に立設された内側上方壁部と下方に垂下して形成された内側下方壁部、あるいはさらに前記板状部の外側縁部に略垂直に上方に立設された外側上方壁部と下方に垂下して形成された外側下方壁部を含み、これらの板状部両側の内側下方壁部と外側下方壁部とで下顎の歯列に跨るように、且つ、板状部両側の内側上方壁部と外側上方壁部とで上顎の歯列に跨るように構成することができる。この場合にも、内側下方壁部及び／又は外側下方壁部の下顎の歯列の臼歯と接触する面、及び／又は内側上方壁部及び／又は外側上方壁部の上顎の歯列の臼歯と接触する面にも粘接着剤層が形成されていると、顎弛緩防止具の遺体の臼歯への接着・固定がより確実なものとなる。
【実施例】
【００２２】
以下、添付図面を参照しながら、本発明の遺体用顎弛緩防止具の好適な態様の具体例について説明する。
図１〜３は、本発明の遺体用顎弛緩防止具の一実施態様を示している。この顎弛緩防止具１は、３つの貫通孔４が形成された遺体の少なくとも臼歯を覆う水平な板状部３と、該板状部３の内側縁部に略垂直に垂下して形成された壁部５（内側下方壁部）とを有する左右一対の接合部材２，２が、略Ｕ字状に屈曲した弾性の連結部６で一体的に連結されている。Ｕ字状の凹陥部８を形成する周壁部は下方から上方にかけて前方にやや突出したテーパ状に形成されており、指で挟持する際に持ち易いようになっている。また、上記板状部３の上面及び下面の臼歯と接触する面には粘接着剤層７，７が形成されている。尚、上下の粘接着剤層７，７が接触しないように収納部内に収納できる収納器を用いる場合には、上下の粘接着剤層７，７の表面には離型紙を被覆しておく必要はない。しかしながら、上下の粘接着剤層７，７が接触しないように収納できない収納器内に顎弛緩防止具１を収納する場合には、予め上下の粘接着剤層７，７の表面には離型紙（図示せず）が被覆しておき、顎弛緩防止具１の使用の際に、離型紙を剥がして用いるようにすればよい。
【００２３】
上記接合部材２と連結部６の材質としては、比較的弾性のあるプラスチックや金属などを使用することができる。但し、遺体を火葬する習慣のある国では、金属は焼却されずに残るため、プラスチック製とすることが好ましい。プラスチックとしては、例えば、ポリスチロール（ＰＳ）、ポリビニクロライド（ＰＶＣ）、ポリエチレンテレフタレート（ＰＥＴ）、ポリブチレンテレフタレート（ＰＢＴ）、ポリプロピレン（ＰＰ）、ポリエチレン（ＰＥ）、エチレン−酢酸ビニル共重合体（ＥＶＡ）、エチレン−アクリル酸共重合体（ＥＡＡ）、ナイロン等のポリアミド（ＰＡ）、ポリエステル系熱可塑性エラストマー（ＴＰＥＥ）、ポリアミド系熱可塑性エラストマー（ＰＰＡＥ）などを好適に用いることができる。
【００２４】
板状部３は、臼歯（小臼歯及び大臼歯）を覆うような大きさであることが好ましい。歯列は、図４に示されるように、前側から左右一対の中切歯Ａ、側切歯Ｂ、犬歯Ｃ、第一小臼歯Ｄ、第二小臼歯Ｅ、第一大臼歯Ｆ、第二大臼歯Ｇ、第三大臼歯Ｈの順に並んでいる。従って、上下の列歯同士を接着・固定するためには、板状部３は、少なくとも２つ以上の小臼歯及び／又は大臼歯（好ましくは大臼歯）を覆うような大きさである必要があり、好ましくは３つ以上の小臼歯及び／又は大臼歯、さらに好ましくは第一小臼歯Ｄ、第二小臼歯Ｅ、第一大臼歯Ｆ、第二大臼歯Ｇ、第三大臼歯Ｈの全てを覆うような大きさであることが好ましい。板状部３の形状は、歯列の形状に相応する形状、例えば図示のような湾曲した楕円形のほか、湾曲した長方形など、必要な数の臼歯（小臼歯及び大臼歯）を覆うような大きさであれば任意の形状でよい。尚、対象となる歯は、入れ歯であってもよい。
【００２５】
壁部５及び連結部６の厚さは、０．３ｍｍ〜２．０ｍｍ程度が好ましい。また、板状部３の厚さは、０．２ｍｍ〜１．５ｍｍ程度が好ましい。貫通孔４は、上記実施態様では略長方形に３個形成されているが、正方形、長方形、楕円、円形など任意の形状でよく、またその数も１つ以上の任意の数でよい。尚、貫通孔４の合計面積が大きいほど、上下の粘接着剤が一体化し易く、接着強度の点では好ましい。
また、粘接着剤層７の形状は、図示のように板状部３の形状とほぼ等しい形状が好ましいが、正方形、長方形、楕円、円形など任意の形状でよい。また、粘接着剤層７の厚さは０．１ｍｍ〜２ｍｍ程度が好ましい。
【００２６】
上記顎弛緩防止具１の使用においては、例えば、連結部６のＵ字状の凹陥部８に人差し指を入れ、その外側から親指と中指で左右一対の接合部材２，２を挟み、左右一対の接合部材２，２間の間隔が若干狭くなるように押し曲げ、遺体の口中へ挿入する。挿入した後、指を離すと、略Ｕ字状に屈曲した連結部６の弾性により左右一対の接合部材２，２が広がって元の状態に戻り、接合部材２，２の壁部５（内側下方壁部）が臼歯の内側面に当接する。上記顎弛緩防止具１においては、前記板状部３に貫通孔４が形成されているため、上下の臼歯間に介挿されて噛み合わされた時に、板状部３の上面に設けられた粘接着剤層７と下面に設けられた粘接着剤層７が貫通孔４を介して一体化される。そのため、上下の臼歯同士を強い接合強度で接着・固定することができ、顎の弛緩により口が開くのをより確実に防止することができる。
【００２７】
図６は、本発明の遺体用顎弛緩防止具の他の実施態様を示している。この顎弛緩防止具１ａは、前記壁部が、板状部３の内側縁部に略垂直に垂下して形成された内側下方壁部５ａと、外側縁部に略垂直に垂下して形成された外側下方壁部５ｂとからなり、これらの板状部両側の内側下方壁部５ａと外側下方壁部５ｂとで下顎の歯列に跨るように構成されている点で前記した実施態様と異なるが、他の構成は前記した実施態様と同様である。
【００２８】
図７は、本発明の遺体用顎弛緩防止具の別の実施態様を示している。この顎弛緩防止具１ｂは、前記壁部が、板状部３の内側縁部に略垂直に下方に垂下して形成された内側下方壁部５ａと、上方に立設された内側上方壁部５ｃとからなり、内側下方壁部５ａが下歯列の臼歯の内側面に当接し、内側上方壁部５ｃが上顎の歯列の臼歯の内側面に当接するように構成されている点で前記した実施態様と異なるが、他の構成は前記した実施態様と同様である。
【００２９】
図８は、本発明の遺体用顎弛緩防止具のさらに他の実施態様を示している。この顎弛緩防止具１ｃは、前記壁部が、板状部３の内側縁部に略垂直に下方に垂下して形成された内側下方壁部５ａと、上方に立設された内側上方壁部５ｃと、板状部３の外側縁部に略垂直に垂下して形成された外側下方壁部５ｂとからなり、これらの板状部両側の内側下方壁部５ａと外側下方壁部５ｂとで下顎の歯列に跨るように、且つ、内側上方壁部５ｃが上顎の歯列の臼歯の内側面に当接するように構成されている点で前記した実施態様と異なるが、他の構成は前記した実施態様と同様である。
【００３０】
図９は、本発明の遺体用顎弛緩防止具のさらに別の実施態様を示している。この顎弛緩防止具１ｄは、前記壁部が、板状部３の内側縁部に略垂直に下方に垂下して形成された内側下方壁部５ａと、上方に立設された内側上方壁部５ｃと、板状部３の外側縁部に略垂直に下方に垂下して形成された外側下方壁部５ｂと、上方に立設された外側上方壁部５ｄとからなり、これらの板状部両側の内側下方壁部５ａと外側下方壁部５ｂとで下顎の歯列に跨るように、且つ、板状部両側の内側上方壁部５ｃと外側上方壁部５ｄとで上顎の歯列に跨るように構成されている点で前記した実施態様と異なるが、他の構成は前記した実施態様と同様である。
尚、前記したいずれの実施態様においても、内側下方壁部５ａ及び／又は内側上方壁部５ｃの外側面、及び／又は外側下方壁部５ｂ及び／又は外側上方壁部５ｄの内側面に粘接着剤層を形成することもできる。
【００３１】
図１０は、本発明の遺体用顎弛緩防止具のさらに別の実施態様を示している。この顎弛緩防止具１ｅは、３つの貫通孔４が形成された遺体の少なくとも臼歯を覆う水平な板状部３と、該板状部３の内側縁部に略垂直に垂下して形成された壁部５（内側下方壁部）とを有する単一の接合部材２からなる点で前記した実施態様と異なるが、他の構成は前記した実施態様と同様である。遺体の中には、高齢者であった場合のように、一方の歯列が欠けている場合もある。そのような場合、本実施態様のように単一の接合部材２からなる顎弛緩防止具１ｅを好適に用いることができる。この実施態様においても、板状部３の内側縁部に略垂直に上方に立設された内側上方壁部を設けたり、板状部３の外側縁部に略垂直に下方に垂下して形成された外側下方壁部及び／又は上方に立設された外側上方壁部を設けることもでき、また、内側下方壁部及び／又は内側上方壁部の外側面、及び／又は外側下方壁部及び／又は外側上方壁部の内側面に粘接着剤層を形成することもできる。
【００３２】
図１１乃至図１３は、本発明の遺体用顎弛緩防止具のさらに他の実施態様を示している。この顎弛緩防止具１ｆは、２つの貫通孔４が形成された遺体の少なくとも臼歯を覆う水平な板状部３と、該板状部３の内側縁部に略垂直に垂下して形成された壁部５（内側下方壁部）とを有する左右一対の接合部材２ｆ，２ｆが、略Ｕ字状に屈曲した弾性の連結部６で一体的に連結されている。連結部６は、中央部に、実質的に平坦な中央側壁部１０とそれに向かって内側にやや湾曲した左右側壁部９，９とから形成された凹陥部８を有しており、該凹陥部８を形成する中央側壁部１０及び左右側壁部９，９は下方から上方にかけて前方にやや突出したテーパ状に形成されている。従って、例えば、人差し指を凹陥部８内に入れ、親指と中指を左右側壁部９，９の内側にやや湾曲した部分に置くことにより、顎弛緩防止具１ｆを持ち易く、且つ、左右一対の接合部材２ｆ，２ｆ間の間隔が若干狭くなるように押し曲げ易くなり、遺体の口中への挿入・装着作業をより簡便に行うことができる。また、図１３に示されるように、板状部３は、臼歯（小臼歯及び大臼歯）の頂部表面に対応するように、前後両端部がやや反り上がった湾曲状に形成され、装着した時に臼歯（小臼歯及び大臼歯）の頂部表面にぴったりと合致するように形成されている。尚、前記図１〜１０に示した実施態様においても、このように臼歯（小臼歯及び大臼歯）の頂部表面に対応するように、板状部の前後両端部がやや反り上がった湾曲状に形成することが好ましい。
【００３３】
上記図１１〜１３に示す実施態様においても、前記図６〜９に示されるように、板状部３の内側縁部に略垂直に上方に立設された内側上方壁部を設けたり、板状部３の外側縁部に略垂直に下方に垂下して形成された外側下方壁部及び／又は上方に立設された外側上方壁部を設けることもでき、また、内側下方壁部及び／又は内側上方壁部の外側面、及び／又は外側下方壁部及び／又は外側上方壁部の内側面に粘接着剤層を形成することもできる。
【００３４】
上記顎弛緩防止具１ｆの使用においては、例えば、人差し指を連結部６の凹陥部８内に入れ、その外側から親指と中指を左右側壁部９，９の内側にやや湾曲した部分に置いて左右一対の接合部材２ｆ，２ｆを挟み、左右一対の接合部材２ｆ，２ｆ間の間隔が若干狭くなるように押し曲げ、遺体の口中へ挿入する。挿入した後、指を離すと、略Ｕ字状に屈曲した連結部６の弾性により左右一対の接合部材２ｆ，２ｆが広がって元の状態に戻り、接合部材２ｆ，２ｆの壁部５（内側下方壁部）が臼歯の内側面に当接する。上記顎弛緩防止具１ｆにおいては、前記板状部３は、臼歯（小臼歯及び大臼歯）の頂部表面に対応するように前後両端部がやや反り上がった湾曲状に形成されているため、装着した時に臼歯（小臼歯及び大臼歯）の頂部表面にぴったりとフィットし、また板状部３に貫通孔４が形成されているため、上下の臼歯間に介挿されて噛み合わされた時に、板状部３の上面に設けられた粘接着剤層７と下面に設けられた粘接着剤層７が貫通孔４を介して一体化される。そのため、上下の臼歯同士を強い接合強度で接着・固定することができ、顎の弛緩により口が開くのをより確実に且つ簡便に防止することができる。
【００３５】
前記粘接着剤層としては、従来公知の各種粘接着剤、特に軟膏形の粘接着剤を用いることができ、特定の粘接着剤に限定されるものではない。軟膏形の粘接着剤としては、例えば、室温で液状の炭素数５以上の一価のアルコール類や多価アルコール類などのアルコール系有機溶剤（Ａ）と、カルボキシビニルポリマー、カルボキシビニルポリマーのアルカリ塩等のアクリル酸重合体もしくは架橋型アクリル酸重合体、ポリエチレンイミン、ポリビニルピロリドン、ポリビニルメチルエーテル、ポリエチレンオキサイド、ポリアルキレンオキサイド系の熱可塑性を有するノニオン型吸水性樹脂、合成親油性スメクタイト、デンプン糖［Ｄ．Ｅ．（ｄｅｘｔｒｏｓｅ  ｅｑｕｉｖａｌｅｎｔ）が５０％以下］などの少なくとも１種の増粘剤（Ｂ）を含有した粘稠液基剤に、プラスチックファイバー、グラスファイバー、絹繊維、パルプ繊維、綿、セピオライト等の繊維状粘土鉱物などの少なくとも１種のフィラー（Ｃ）を含有している軟膏形粘接着剤を好適に用いることができる。
【００３６】
アルコール系有機溶剤（Ａ）としては、室温で液状の炭素数５以上のアルコール溶剤は全て使用でき、特定のものに限定されないが、例えば、一価のアルコール類としては、アミルアルコール、ヘキシルアルコール、青葉アルコール、ヘプチルアルコール、オクチルアルコール、ノニルアルコール、デシルアルコール、ベンジルアルコール等が挙げられる。多価アルコール類としては、エチレングリコール、ジエチレングリコール、トリエチレングリコール、プロピレングリコール、グリセリン、ポリエチレングリコール（重合度の平均分子量が５００以下）等が挙げられる。これらのアルコール系有機溶剤（Ａ）は、単独で又は２種以上を組み合わせて用いることができる。
【００３７】
アルコール系有機溶剤（Ａ）の含有量は、軟膏形粘接着剤全体量の２０〜９０質量％が好ましく、より好ましくは２５〜８５質量％、さらに好ましくは３０〜８０質量％である。アルコール系有機溶剤（Ａ）の含有量が９０質量％を超えて多量に配合されると、軟膏形粘接着剤が軟らかくなり、上下顎の歯列又は歯茎をしっかり接着・固定することができなくなるので好ましくない。一方、アルコール系有機溶剤の含有量が低すぎると、軟膏形粘接着剤が硬くなり、接着力が低下するので好ましくない。
【００３８】
増粘剤（Ｂ）の含有量は、軟膏形粘接着剤全体量の１０〜８０質量％が好ましく、より好ましくは１２〜７０質量％である。増粘剤（Ｂ）の含有量が８０質量％を超えて多量に配合されると、軟膏形粘接着剤が硬くなり、柔軟性が低下し、接着力が悪くなり、使用時に支障をきたす。また、経済性の点からも好ましくない。一方、増粘剤（Ｂ）の含有量が低すぎると、軟膏形粘接着剤が軟らかくなって、接着力が低下し、上下顎の歯列又は歯茎をしっかり接着・固定することができなくなるので好ましくない。
【００３９】
増粘剤（Ｂ）としてのカルボキシビニルポリマーのアルカリ塩は、カルボキシビニルポリマーをアルカリ性物質で中和したものであり、中和することにより著しく増粘する。アルカリ中和剤としては、例えば、ジエタノールアミン、トリエタノールアミン、ジイソプロパノールアミン、ジ−２（エチルヘキシル）アミン、トリアミルアミン、ドデシルアミン、モルフォリンなどのアミン類、水酸化ナトリウム、水酸化カリウム、水酸化アンモニウムなどの無機塩、アンモニア水などが例示でき、その中でも取り扱いが容易であることからアミン類が好ましい。
【００４０】
フィラー（Ｃ）の含有量は、軟膏形粘接着剤全体量の０〜５０質量％が好ましく、より好ましくは１〜３５質量％である。フィラー（Ｃ）の含有量が５０質量％を超えて多量に配合されると、軟膏形粘接着剤が硬くなり、柔軟性が低下し、接着力が悪くなり、上下顎の歯列又は歯茎の接着が悪くなり、口が開いてくるなどの支障をきたすので好ましくない。一方、フィラー（Ｃ）を含有せず、あるいはその含有量が低すぎると、軟膏形粘接着剤が軟らかくなって、接着力が低下し、上下顎の歯列又は歯茎をしっかり接着・固定することができなくなるので好ましくない。
【００４１】
さらに、前記軟膏形粘接着剤を安定に維持するために、安定剤として、酸化防止剤（Ｄ）や、防カビ・防腐剤（Ｅ）などの少なくとも１種を含有することができる。
酸化防止剤（Ｄ）としては、従来知られている各種酸化防止剤を用いることができ、特定のものに限定されないが、それらの中でも、α−トコフェロール、ノルジヒドログアヤレチック酸（ＮＤＧＡ）、ブチルヒドロキシアニソール（ＢＨＡ）、ジブチルヒドロキシトルエン（ＢＨＴ）、没食子酸エステル、クエン酸イソプロピル、Ｌ−アスコルビン酸ナトリウム、Ｌ−アスコルビン酸、イソアスコルビン酸などが挙げられる。これらを単独で又は２種以上を組み合わせて用いることができる。
【００４２】
防カビ・防腐剤（Ｅ）としては、安息香酸ナトリウム、パラオキシ安息香酸ナトリウム、パラオキシ安息香酸ブチル、パラオキシ安息香酸プロピル、パラオキシ安息香酸イソブチル、プロピオン酸ナトリウム、チアベンダゾール、イソチアゾロンなどが挙げられる。これらを単独で又は２種以上を組み合わせて用いることができる。
【００４３】
酸化防止剤（Ｄ）及び防カビ・防腐剤（Ｅ）の含有量は、各成分の所望の効果を維持し、安全性及び良好な経済性の観点から、軟膏形粘接着剤全体に占める割合で、酸化防止剤（Ｄ）、防カビ・防腐剤（Ｅ）はそれぞれ約０．００１〜１０質量％が好ましく、より好ましくは約０．００５〜８質量％である。
【００４４】
以下、軟膏形粘接着剤の処方例及び試験例を示して本発明についてより具体的に説明するが、本発明はこれらに限定されるものではない。
軟膏形粘接着剤の処方例：
表１に示す配合割合で、アルコール系有機溶剤（プロピレングリコール）（Ａ）に酸化防止剤（ジブチルヒドロキシトルエン）（Ｄ）を溶解し、さらに、増粘剤（カルボキシビニールポリマー）（Ｂ）を溶解して粘稠液基剤を調合した。この粘稠液基剤の中にフィラー（グラスファイバー）（Ｃ）を加えてよく撹拌して軟膏形粘接着剤を調製した。
【００４５】
【表１】
2010000146.tif 000003
【００４６】
試験例：
前記のようにして調製した軟膏形粘接着剤を、図１に示す板状部の上面、下面に貫通孔を介して挟むように固着した遺体用顎弛緩防止具を作製した。
得られた遺体用顎弛緩防止具を、遺体の代用として歯列、歯茎並びに顎関節を有する複製咬合模型（（株）ニッシン製）に装着したところ、十分な係止力を発揮し、上下の顎を一体的に接着・固定することができた。
【図面の簡単な説明】
【００４７】
【図１】本発明に係る遺体用顎弛緩防止具の一実施態様を示す概略斜視図である。
【図２】図１に示す遺体用顎弛緩防止具の概略平面図である。
【図３】図１及び図２に示す遺体用顎弛緩防止具のIII−III線矢視断面図である。
【図４】ヒトの歯列を示す概略平面図である。
【図５】図１に示す遺体用顎弛緩防止具を遺体の口内に装着した状態を示す概略側面図である。
【図６】本発明に係る遺体用顎弛緩防止具の他の実施態様を示す概略断面図である。
【図７】本発明に係る遺体用顎弛緩防止具の別の実施態様を示す概略断面図である。
【図８】本発明に係る遺体用顎弛緩防止具のさらに他の実施態様を示す概略断面図である。
【図９】本発明に係る遺体用顎弛緩防止具のさらに別の実施態様を示す概略断面図である。
【図１０】本発明に係る遺体用顎弛緩防止具のさらに別の実施態様を示す概略斜視図である。
【図１１】本発明に係る遺体用顎弛緩防止具のさらに他の実施態様を示す概略平面図である。
【図１２】図１１に示す遺体用顎弛緩防止具のXII−XII線矢視断面図である。
【図１３】図１１に示す遺体用顎弛緩防止具の左側面図である。
【符号の説明】
【００４８】
１，１ａ，１ｂ，１ｃ，１ｄ，１ｅ，１ｆ  顎弛緩防止具
２，２ａ，２ｂ，２ｃ，２ｄ，２ｆ  接合部材
３  板状部
４  貫通孔
５  壁部
５ａ  内側下方壁部
５ｂ  外側下方壁部
５ｃ  内側上方壁部
５ｄ  外側上方壁部
６  連結部
７  粘接着剤層
８  凹陥部
９  左右側壁部
１０  中央側壁部
【図１】
2010000146.tif 000004
【図２】
2010000146.tif 000005
【図３】
2010000146.tif 000006
【図４】
2010000146.tif 000007
【図５】
2010000146.tif 000008
【図６】
2010000146.tif 000009
【図７】
2010000146.tif 000010
【図８】
2010000146.tif 000011
【図９】
2010000146.tif 000012
【図１０】
2010000146.tif 000013
【図１１】
2010000146.tif 000014
【図１２】
2010000146.tif 000015
【図１３】
2010000146.tif 000016